(57)【要約】【課題】流体容器を安定的に保持してそのガタツキを抑制し、流体残留量をより少なくし、上側流体容器の開閉弁からの液垂れによる下側流体容器の開閉弁の汚染を回避できる流体容器の支持ラックを提供する。【解決手段】全体形状が実質的に中空直方体状に形成され、その一面１ａの所定角部に開閉コック２を取り付けてなる薬液タンク１を、開閉コック取付面１ａが前側に位置するように支持する流体容器の支持ラック１０であって、上記開閉コック取付面の上記所定角部を挟む２つの下面に当接して薬液タンクを支持する棚板材Ｐと、該棚部材の左右両端を支持するフレーム部材１８とを備え、上記棚板材は、その前側が後側に比して低くなるように前後方向へ傾斜して配置され、且つ、上記開閉コック取付面の上記所定角部を最下方に位置させた状態で上記薬液タンクを支持することを特徴とする。【選択図】　図９
2004106924.tif 000002
【特許請求の範囲】
【請求項１】
全体形状が実質的に中空直方体状に形成され、その一面の所定角部に開閉弁を取り付けてなる流体容器を、上記開閉弁を取り付けた開閉弁取付面が前側に位置するように支持する流体容器の支持ラックであって、
上記開閉弁取付面の上記所定角部を挟む２つの下面に当接して上記流体容器を支持する棚部材と、該棚部材の左右両端を支持するフレーム部材とを備え、
上記棚部材は、その前側が後側に比して低くなるように前後方向へ傾斜して配置され、且つ、上記開閉弁取付面の上記所定角部を最下方に位置させた状態で上記流体容器を支持する、
ことを特徴とする流体容器の支持ラック。
【請求項２】
上記棚部材が少なくとも上下方向に並ぶように複数配設され、これら複数の棚部材が正面視で斜めに傾斜した格子を形成しており、この格子の各窓部に上記流体容器が収納状態で支持されていることを特徴とする請求項１記載の流体容器の支持ラック。
【請求項３】
正面視にて上記開閉弁が実質的に同一直線状に並ぶ上下の流体容器について、上側の流体容器は下側の流体容器よりも所定量前側に偏って位置した状態で支持されていることを特徴とする請求項２記載の流体容器の支持ラック。
【請求項４】
上記棚部材には、上記流体容器の上記開閉弁取付面に当接してその前方移動を規制する規制部材が取り付けられており、該規制部材を、上記流体容器の前方移動を規制する規制位置と、その規制を解除する規制解除位置とに位置変更させ得る規制部材操作機構が設けられていることを特徴とする請求項１〜請求項３の何れか一に記載の流体容器の支持ラック。
【発明の詳細な説明】
【０００１】
【発明の属する技術分野】
この発明は、例えば薬液等を収容した流体容器、特に、全体形状が略中空直方体状でその一面の所定角部に開閉弁を取り付けて構成された流体容器を、開閉弁取付面が前側に位置するように支持する流体容器の支持ラックに関する。
【０００２】
【従来の技術】
従来、例えば薬液等の流体を収容するための流体容器として、全体形状が中空の略直方体状に形成され、その一面に開閉コックを取り付け、該コックを開くことによって内部の流体を随時取り出せるようにしたものは、一般に良く知られている。また、開閉コックがその矩形状の開閉コック取付面の角部に取り付けられたものも周知である。
【０００３】
かかる流体容器を、上記開閉コックを取り付けた開閉コック取付面が前側に位置するようにラック（棚）に収納・支持させておき、内部の流体を例えば小分け容器等に随時供給するために使用する場合、従来では、例えば図１７及び図１８に示すように、水平面内に配置された棚板または棒状体などの棚部材Ｐ’上に、開閉コック取付面５１ａの開閉コック取付位置に最も近い一辺に沿った平面５１ｂを受け面として、当該流体容器５１を水平に支持させるのが一般的である。
【０００４】
尚、流体容器を支持することを特に念頭に置いたものではないが、例えば、下記特許文献１には、それぞれ水平に配置された床部材と中間部材と天部材とを複数の支柱にそれぞれ連結して構成され、上記床部材および中間部材の上面に物品を支持するようにしたラックが開示されている。
【０００５】
【特許文献１】
特開２００１−１９７９４５公報（発明の詳細な説明：段落番号００１２−００１７、図１及び図３）
【０００６】
【発明が解決しようとする課題】
このように支持された流体容器５１から内部の流体を小分け容器等に随時供給する場合、流体供給の最終的な段階では、容器５１内の流体残量が少なくなり、流体残量レベルＬｒ’が容器５１内の開閉コック取付穴５１ｈよりも低くなると、流体供給ができなくなるのであるが、このとき容器５１内に残留した流体は無駄になることが多いので、かかる最終的な残留流体量はできるだけ少ないことが望ましい。
【０００７】
従来では、容器５１自体が水平状態で支持されているので、水平な容器底面から開閉コック取付穴５１ｈの直下の水平面に至る間の流体全てが残ることになり、流体残留量が比較的多くなるという難点があった。
この残留流体量を低減するには、開閉コック取付穴５１ｈの位置をできるだけ低く設定すれば良いのであるが、低く設定するにしても設計的に許容される範囲はかなり限られたものとなる。例えば、流体容器５１の内容積が２０リットルの場合、開閉コック取付穴５１ｈの位置を設計的に許容できる範囲で極力低く設定しても、約３０００ミリリットル程度が残留する。
【０００８】
また、従来の流体容器の支持ラックでは、流体容器は支持部材上に載置した状態で水平に支持されるだけで、左右方向については何らの拘束力も作用していないので、容器を安定状態で保持することが難しい。従って、使用時、特に流体残量が少なくなって総重量が減るほど、容器自体がガタツキ易くて扱い難くなるという問題もあった。
【０００９】
更に、流体容器を少なくとも上下方向に積み重なるように並べて使用する場合、取り扱う流体の粘度が比較的高い場合などには、上側の流体容器の開閉コックから閉弁した後でも液垂れが生じることがあり、下側の流体容器の開閉コックが汚され、その清浄作業が煩わしいという問題もあった。
【００１０】
この発明は、上記技術的課題に鑑みてなされたもので、流体容器を安定的に保持してそのガタツキを抑制し、また、流体残留量をより少なくすることができ、更には、流体容器を上下に並べて使用する場合でも上側流体容器の開閉弁からの液垂れにより下側流体容器の開閉弁が汚されることを回避できる、流体容器の支持ラックを提供することを目的とする。
【００１１】
【課題を解決するための手段】
このため、本願発明に係る流体容器の支持ラックは、全体形状が実質的に中空直方体状に形成され、その一面の所定角部に開閉弁を取り付けてなる流体容器を、上記開閉弁を取り付けた開閉弁取付面が前側に位置するように支持する流体容器の支持ラックであって、上記開閉弁取付面の上記所定角部を挟む２つの下面に当接して上記流体容器を支持する棚部材と、該棚部材の左右両端を支持するフレーム部材とを備え、上記棚部材は、その前側が後側に比して低くなるように前後方向へ傾斜して配置され、且つ、上記開閉弁取付面の上記所定角部を最下方に位置させた状態で上記流体容器を支持する、ことを特徴としたものである。
【００１２】
この場合において、上記棚部材が少なくとも上下方向に並ぶように複数配設され、これら複数の棚部材が正面視で斜めに傾斜した格子を形成しており、この格子の各窓部に上記流体容器が収納状態で支持されることが、より好ましい。
【００１３】
また、この場合において、正面視にて上記開閉弁が実質的に同一直線状に並ぶ上下の流体容器について、上側の流体容器は下側の流体容器よりも所定量前側に偏って位置した状態で支持されていることが、より一層好ましい。
【００１４】
更に、以上の場合において、上記棚部材には、流体容器の開閉弁取付面に当接してその前方移動を規制する規制部材が取り付けられており、該規制部材を、流体容器の前方移動を規制する規制位置と、その規制を解除する規制解除位置とに位置変更させ得る規制部材操作機構が設けられていることが、更に一層好ましい。
【００１５】
【発明の実施の形態】
以下、本発明の実施の形態を、薬液タンク用のラックに適用した場合を例に取って、添付図面を参照しながら詳細に説明する。
図１及び図２は、本実施の形態に係る支持ラックに収容・支持される流体容器としての薬液タンク１の正面説明図および側面説明図である。これらの図に示すように、上記薬液タンク１は、全体形状が中空の略直方体状に形成され、その前後方向（図２における左右方向）における略正方形状の一面１ａ（前面：コック取付面）の所定角部に、開閉弁としての開閉コック２が取り付けられている。
【００１６】
この開閉コック２は、通常時は閉弁状態に維持され、タンク内部の薬液を例えば小分け容器等に随時取り出す際に開弁操作されるものである。上記コック取付面１ａの開閉コック２が取り付けられた角部と対向する角部には、当該薬液タンク１内に所定の薬液（例えば、手洗い洗剤あるいは消毒液など）を注入するための注入口を閉塞するキャップ又はプラグ等の閉塞部材３が位置している。
尚、上記薬液タンク１は、例えば２０リットル（内容積）用のもので、略正方形状をなすコック取付面１ａの１辺の長さが大略２７０ｍｍ、タンク全長は大略４００ｍｍに設定されている。
【００１７】
図３は、上記薬液タンク１を収納・支持するための支持ラック１０の全体斜視図である。この図に示すように、上記支持ラック１０は、全体として大略板状に形成された基台１１と、この基台１１上に固定されたフレーム１６と、このフレーム１６内に備えられた棚部とを備えている。上記基台１１の底面には、複数（４個）のキャスタ１２が取り付けられている。また、基台１１の前側上面には、後述する受け皿１９（後述する図８，図９参照）を納めるために、所定幅の開口部１１ａが形成されている。
【００１８】
上記フレーム１６は、基台１１の４隅に立設された縦ロッド１７と、これら縦ロッド１７間に上下方向に間隔を有して掛け渡された複数の横ロッド１８とで構成されている。これら横ロッド１８は、支持ラック１０の前面を除いて、その後面および両側面にそれぞれ所定本数が配設されている。各横ロッド１８の両端部は、縦ロッド１７に対して、例えば溶接にて固定されている。
尚、上記基台１１及びフレーム１６は、より好ましくは、ステンレス鋼材により製作されている。また、上記棚部も、より好ましくは、ステンレス鋼を材料とした板材Ｐを用いて製作されている。
【００１９】
上記棚部は、図４〜図６に示されるように、所定長さ及び幅のステンレス鋼鈑を長手方向における中央部で略直角に折り曲げ成形してなる棚板材Ｐ（棚板用の板材）を多数組み合わせて構成されている。
図４〜図６は、２枚の棚板材Ｐの組み合わせ方を示したものである。これらの図に示すように、各棚板材Ｐは、その両端部が折り曲げられてフランジ部Ｐｆを備えている。また、一方のフランジ部Ｐｆと折り曲げ部Ｐｍとの略中間部位には、所定長さの切欠溝Ｐｇが形成されている。
【００２０】
図４に示される２枚の棚板材Ｐどうしを組み立てる際には、まず、図５に示されるように、一方の棚板材Ｐを逆向きにして組立前のセット状態とした上で、図６に示されるように、互いの切欠溝Ｐｇに相手の板材Ｐが嵌合するように組み立てられる。そして、各フランジ部Ｐｆが、フレーム１６の両サイドの横ロッド１８に対して、例えば溶接にて固定される。
【００２１】
このとき、各棚板材Ｐは、その前側が後側に比して低くなるように前後方向へ傾斜して固定されるように、各フランジ部Ｐｆの曲折角度等が設定されている。本実施の形態では、各棚板材Ｐの前方への傾斜角度が、例えば約５度になるように設定されている。
【００２２】
また、後述する図９から良く分かるように、上下の棚板材Ｐについては、上側の棚板材Ｐが下側の棚板材Ｐよりも所定量だけ前側に偏って位置するように設定されている。これにより、正面視（図８参照）にて上記開閉コック２が実質的に同一直線状に並ぶ上下の薬液タンク１について、上側のタンク１は下側のタンク１よりも所定量だけ前側に偏って位置した状態で支持され、上側の薬液タンク１の開閉コック２からの液垂れによる薬液が下側の薬液タンク１の開閉コック２に降りかかってこの下側の開閉コック２を汚すことがないようになっている。
【００２３】
図３の例では、合計４枚の棚板材Ｐが用いられており、２枚で１組の棚板材Ｐが上下方向に組み立てられている。これら棚板材Ｐの各フランジ部Ｐｆを固定するために、支持ラック１０の各側面にはそれぞれ４本の横ロッド１８が配設されている。
このように組み立てられた各棚板材Ｐの両端のフランジ部Ｐｆが、それぞれフレーム１６の横ロッド１８に固定されることにより、これら複数の棚板材Ｐが正面視で斜めに傾斜した格子状の棚部を構成している（図３参照）。
【００２４】
そして、図８及び図９に示すように、棚板材Ｐで構成された格子の各窓部Ｗに薬液タンク１が収納・支持される。本実施の形態に係る支持ラック１０では、４つの窓部Ｗが形成されており、これら窓部Ｗに４個と最上部の棚板材Ｐ上に２個の、計６個の薬液タンク１が収納・支持されている。
【００２５】
上記窓部Ｗの下面を構成する棚板材Ｐ又は最上部の棚板材Ｐは、薬液タンク１のコック取付面１ａにおける開閉コック２を取り付けた角部を挟む２つの下面１ｂ，１ｃ（図１参照）に当接して、開閉コック２を取り付けた上記角部を最下方に位置させた状態で当該薬液タンク１を支持している。
【００２６】
このように、薬液タンク１は、そのコック取付面１ａの開閉コック２を取り付けた角部を挟む２つの下面１ｂ，１ｃに当接する棚板材Ｐで、上記角部を最下方に位置させた状態で支持されるので、上記棚板材Ｐによって左右方向についても拘束力されることになる。従って、薬液タンク１を非常に安定した状態で保持することができ、使用時におけるタンク自体のガタツキを効果的に抑制して取り扱いを容易にすることができる。
【００２７】
また、上記各棚板材Ｐは、前述のように、その前側が後側に比して低くなるように前後方向へ傾斜して配置され、且つ、コック取付面１ａの開閉コック２を取り付けた角部を最下方に位置させた状態で薬液タンク１を支持している（図９参照）。
従って、図１５及び図１６に示すように、薬液残量レベルＬｒが薬液タンク１内のコック取付穴１ｈよりも低くなり薬液の供給ができなくなった場合、薬液タンク１自体が前方に傾斜した状態で支持されているので、タンク１内に残留するのは、前方に傾斜したタンク底面からコック取付穴１ｈの直下の水平面に至る間の薬液だけであり、薬液タンク１が（従って、タンク底面が）水平に支持されていた従来に比して、薬液残留量を低減させることができる。
【００２８】
本実施の形態では、薬液タンク１を２０リットル用とし、棚板材Ｐの前方への傾斜角度を約５度に設定したが、この場合には、薬液残留量は約３５０ミリリットルであった。図１７及び図１８に示した従来例に係る支持ラックにて、流体容器５１を棚板Ｐ’上に水平に支持した場合には、同じく２０リットル用の流体容器５１で流体残留量は約３０００ミリリットルであったので、同容量の容器について、最終的な薬液残留量を大幅に低減させることができた。
【００２９】
また、上記各棚板材Ｐは少なくとも上下方向に並ぶように複数枚（合計４枚）配設され、これら複数の棚板材Ｐが正面視で斜めに傾斜した格子を形成しており、この格子の各窓部Ｗに薬液タンク１が収納状態で支持されている。かかる支持構造とすることにより、薬液タンク１を少なくとも上下方向に積み重ねて支持することができ、支持ラック１０を設置するに際して省スペース化を図ることができる。
【００３０】
更に、本実施の形態では、前述のように、上下の棚板材Ｐについては、上側の棚板材Ｐが下側の棚板材Ｐよりも所定量だけ前側に偏って位置するように設定されており（図９参照）、正面視（図８参照）にて上記開閉コック２が実質的に同一直線状に並ぶ上下の薬液タンク１について、上側のタンク１は下側のタンク１よりも所定量だけ前側に偏って位置した状態で支持され、上側の薬液タンク１の開閉コック２からの液垂れによる薬液が下側の薬液タンク１の開閉コック２に降りかかってこの下側の開閉コック２を汚すことがないようになっている。
【００３１】
薬液タンク１を上下方向に積み重ねて支持するに際して、かかる支持構造を採用することにより、上下の薬液タンク１の開閉コック２の位置を、上側のものが下側のものよりも所定量だけ前側に偏って位置するように、前後方向にずらせることができ、上側の薬液タンク１の開閉コック２から液垂れがあった場合でも、下側の薬液タンク１の開閉コック２が汚されることを有効に回避することができるのである。
【００３２】
この場合、上側の薬液タンク１の開閉コック２からの液垂れによる薬液は、支持ラック１０の基台１１の前側上面に形成された開口部１１ａ内に収納された受け皿１９で受けて回収される。従って、上側の薬液タンク１の開閉コック２からの液垂れに起因する清浄作業の手間を大幅に削減することができる。
【００３３】
また、図７から良く分かるように、上記棚部の格子の各窓部Ｗを構成する棚板材Ｐの所定箇所、具体的には、各窓部Ｗの下面を構成する棚板材Ｐの所定部位には、当該窓部Ｗに収納される薬液タンク１の前方移動を規制する規制部材としてのタンクストッパ３０を取り付けるために、複数の（本実施の形態では３つの）取付穴Ｐｈが設けられている。
【００３４】
上記タンクストッパ３０は、略三角形に近い平板状のストッパガイド３１と、略扇形の平板に略垂直な突出部を設けてなるストッパプレート３２とで構成されている。上記ストッパガイド３１は、棚板材Ｐに設けられた上記取付穴Ｐｈにそれぞれ嵌合する３本のピン３１ａ，３１ｂ，３１ｃと、外縁の一部に開口する略Ｌ字形の係合溝３１ｄとを備えている。
【００３５】
上記ストッパプレート３２は、上記ストッパガイド３１の３本のピン３１ａ，３１ｂ，３１ｃのうちの１本３１ｃを挿通させる長穴３２ｃと、ストッパガイド３１の係合溝３１ｄに挿通し得るピン状の係合突起３２ｄと、略扇形のプレートから略垂直に突出する規制部３２ｓとを備えている。
該規制部３２ｓは、折り曲げ成形された小片板状で、上記係合突起３２ｄとはストッパプレート３２の平板状本体に関して互いに逆方向に突出している。また、ストッパプレート３２の略扇形のプレート上における上記規制部３２ｓと反対側の端部には、扇形の外方に所定量だけ突出した回動リミット部３２ｋが形成されている。
【００３６】
上記タンクストッパ３０は、図７に示されるように、各窓部Ｗの下面を構成する棚板材Ｐの当該窓部Ｗにとっての裏面側に取り付けられる。すなわち、まず、当該窓部Ｗの下面を構成する棚板材Ｐの裏面側に、ストッパプレート３２をその規制部３２ｓが当該窓部Ｗ側に突出するようにセットした状態で当接させておき、更にその裏面側からストッパガイド３１を当接させ、各ピン３１ａ，３１ｂ，３１ｃを棚板材Ｐの各穴部Ｐｈに嵌合させて固定する。このとき、ストッパガイド３１のピン３１ｃをストッパプレート３２の長穴３２ｃに挿通させておく。
【００３７】
これにより、ストッパプレート３２は、棚板材Ｐとストッパガイド３１との間に挟まれた状態で支持され、両板材Ｐ，３１に対してスライドしながら、ストッパガイド３１の上記ピン３１ｃを中心にして回動することができる。
ストッパプレート３２をこのように回動させることにより、以下に説明するように、上記規制部３２ｓを、窓部Ｗ内に収納・支持された薬液タンク１の前方移動を規制する規制位置と、その規制を解除する規制解除位置とに位置変更させることができる。
【００３８】
図１０及び図１１は、窓部Ｗ内に収納・支持された薬液タンク１の前方移動がストッパプレート３２の規制部３２ｓによって規制されている規制状態を示す正面説明図および側面説明図である。また、図１２及び図１３は、上記規制部３２ｓによるタンク前方移動の規制が解除された規制解除状態を示す正面説明図および側面説明図である。一方、図１４（ａ），（ｂ）及び（ｃ）は、タンクストッパ３０の作動を示すための一連の作動説明図で、タンクストッパ３０を窓部Ｗの裏面側から示したものである。
【００３９】
図１０及び図１１に示されるように、薬液タンク１が窓部Ｗ内に収納・支持された状態では、ストッパプレート３２の規制部３２ｓは、当該薬液タンク１の前面１ａ（開閉コック取付面）に当接した規制位置にあり、当該規制部３２ｓによって薬液タンク１の前方移動が規制されている。
【００４０】
この規制状態では、図１４（ａ）に示されるように、ストッパプレート３２の係合突起３２ｄがストッパガイド３１の係合溝３１ｄ内に係合させることにより、ストッパプレート３２をストッパガイド３１に対してロックすることができ、図８及び図９に示されるように、薬液タンク１が窓部Ｗ内に収納・支持させた通常状態では、ストッパプレート３２はロック状態に維持される。尚、この規制状態では、ストッパガイド３１の上記係合溝３１ｄとストッパプレート３２の上記長穴３２とは略同一方向に伸長している。
【００４１】
薬液タンク１の交換時あるいは支持ラック１０のメインテナンス時など、薬液タンク１を窓部Ｗから取り外す際には、上記ストッパプレート３２を回動操作することにより、規制部３２ｓを規制解除位置に位置変更させる。すなわち、図１４（ｂ）において矢印で示すように、ストッパプレート３２をストッパガイド３１に対して、係合溝３１ｄ及び長穴３２ｃの伸長方向にスライドさせて、係合突起３２ｄの係合溝３１ｄに対する係合状態を解除し、これにより、ストッパプレート３２のストッパガイド３１に対するロック状態を解除する。このとき、ストッパガイド３１のピン３１ｃはストッパプレート３２の長穴３２ｄに沿って相対的にスライドする。
【００４２】
そして、図１４（ｃ）において矢印で示すように、上記ピン３１ｃを中心にしてストッパプレート３２を回動させる。この回動操作は、ストッパプレート３２の回動リミット部３２ｋがストッパガイド３１のピン３１ａに当て止められるまで行われる。これにより、図１２及び図１３に示されるように、ストッパプレート３２の規制部３２ｓが規制解除位置に位置変更させられ、該規制部３２ｓによる薬液タンク１の前方移動の規制が解除されるようになっている。この規制解除状態とすることにより、支持ラック１０の窓部Ｗ内に収納・支持された薬液タンク１を、容易に出し入れすることができる。
【００４３】
以上のように、棚板材Ｐに薬液タンク１の前面（開閉コック取付面）に当接してその前方移動を規制する規制部３２ｓを有するストッパプレート３２を取り付け、上記規制部３２ｓを、薬液タンク１の前方移動を規制する規制位置とその規制を解除する規制解除位置とに位置変更させ得るようにストッパプレート３２を操作する操作機構を設けたことにより、薬液タンク１の使用時にあっては、上記規制部３２ｓを規制位置に維持して当該薬液タンク１の前方移動を確実に規制することができ、また、薬液タンク１を支持ラック１０に対して出し入れする際には、上記規制部３２ｓを規制解除位置に維持して作業性を確保することができるのである。
【００４４】
尚、上記実施の形態では、薬液タンク１の開閉コック２を取り付けた所定角部を挟む２つの下面に当接して当該薬液タンク１を支持する棚部材として、板状の棚板材Ｐが用いられていたが、本発明はかかる構造に限定されるものではなく、他の構造の棚部材を用いることもできる。例えば、棚部材として、平行に配設された前後の板状または棒状の部材を用い、その前側の部材が後側の部材よりも低くなるように、前後に傾斜した配置構造としても良い。
【００４５】
また、上記実施の形態では、薬液タンク１は上下方向に積み重なるようにして支持ラック１０に支持されていたが、本発明は、かかる場合に限定されるものではなく、多数の薬液タンク１を横方向に並べて支持する場合にも有効に適用することができる。更に、上記実施の形態では、支持ラック１０は薬液タンク１を収納・支持するものであったが、本発明に係る支持ラックは、薬液タンク１に限定されることなく、他の種類の流体を貯えた種々の流体容器の収納・支持に有効に適用し得るものである。
【００４６】
このように、本発明は、以上の実施態様に限定されるものではなく、その要旨を逸脱しない範囲において、種々の改良あるいは設計上の変更が可能であることは言うまでもない。
【００４７】
【発明の効果】
本願発明に係る流体容器の支持ラックによれば、流体容器は、開閉弁取付面の開閉弁を取りつけた所定角部を挟む２つの下面に当接する棚部材で、上記所定角部を最下方に位置させた状態で支持されるので、上記棚部材によって左右方向についても拘束力されることになる。従って、容器を非常に安定した状態で保持することができ、使用時における容器自体のガタツキを効果的に抑制して取り扱いを容易にすることができる。
また、上記棚部材は、その前側が後側に比して低くなるように前後方向へ傾斜して配置され、且つ、開閉弁取付面の開閉弁を取り付けた所定角部を最下方に位置させた状態で流体容器を支持するので、流体残量レベルが容器内の開閉弁取付穴よりも低くなり流体供給ができなくなった場合、容器自体が前方に傾斜した状態で支持されているので、容器内に残留するのは、前方に傾斜した容器底面から開閉弁取付穴の直下の水平面に至る間の流体だけであり、流体容器が（従って、容器底面が）水平に支持されていた従来に比して、流体残留量を低減させることができる。
【００４８】
この場合において、上記棚部材を少なくとも上下方向に並ぶように複数配設し、これら複数の棚部材が正面視で斜めに傾斜した格子を形成し、この格子の各窓部に流体容器を収納状態で支持することにより、上述の作用効果を奏しつつ、流体容器を少なくとも上下方向に積み重ねて支持することができ、支持ラックを設置するに際して省スペース化を図ることができる。
【００４９】
また、この場合において、正面視にて開閉弁が実質的に同一直線状に並ぶ上下の流体容器については、上側の流体容器を下側の流体容器よりも所定量前側に偏って位置した状態で支持することにより、上下の流体容器の開閉弁の位置を前後方向にずらせることができ、上側流体容器の開閉弁から液垂れがあった場合でも、下側流体容器の開閉弁が汚されることを有効に回避することが可能になる。
【００５０】
更に、以上の場合において、上記棚部材に流体容器の開閉弁取付面に当接してその前方移動を規制する規制部材を取り付け、該規制部材を規制位置と規制解除位置とに位置変更させ得る規制部材操作機構を設けることにより、流体容器の使用時にあっては、上記規制部材を規制位置に維持して当該流体容器の前方移動を確実に規制でき、また、流体容器を支持ラックに対して出し入れする際には、上記規制部材を規制解除位置に維持して作業性を確保することができる。
【図面の簡単な説明】
【図１】本発明の実施の形態に係る支持ラックに収容・支持される薬液タンクの正面説明図である。
【図２】上記薬液タンクの側面説明図である。
【図３】上記支持ラックの全体斜視図である。
【図４】上記支持ラックの１組（２枚）の棚板材を示す斜視図である。
【図５】上記２枚の棚板材の組立前のセット状態を示す斜視図である。
【図６】上記２枚の棚板材の組立状態を示す斜視図である。
【図７】上記支持ラックの棚板の格子状窓部を拡大して示す斜視図である。
【図８】薬液タンクを収納支持した上記支持ラックの正面説明図である。
【図９】薬液タンクを収納支持した上記支持ラックの側面説明図である。
【図１０】上記支持ラックの窓部内に収納・支持された薬液タンクのストッパプレート規制部よる規制状態を示す正面説明図である。
【図１１】上記窓部内に収納・支持された薬液タンクのストッパプレート規制部よる前方移動規制状態を示す側面説明図である。
【図１２】上記支持ラックの窓部内に収納・支持された薬液タンクの前方移動が規制解除された状態を示す正面説明図である。
【図１３】上記窓部内に収納・支持された薬液タンクの前方移動が規制解除された状態を示す側面説明図である。
【図１４】（ａ）　タンクストッパの作動を示すための一連の作動説明図の一部で、薬液タンクの前方移動規制状態を示す説明図である。
（ｂ）　上記一連の作動説明図の一部で、ストッパプレートのストッパガイドに対するロック解除状態を示す説明図である。
（ｃ）　上記一連の作動説明図の一部で、薬液タンクの前方移動が規制解除された状態を示す説明図である。
【図１５】上記支持ラックに支持された薬液タンクについて、薬液残量レベルが低下して薬液供給ができなくなった状態での薬液残留量を示す薬液タンクの正面説明図である。
【図１６】上記支持ラックに支持された薬液タンクについて、薬液残量レベルが低下して薬液供給ができなくなった状態での薬液残留量を示す上記薬液タンクの側面説明図である。
【図１７】従来例に係る支持ラックに支持された流体容器について、流体残量レベルが低下して流体供給ができなくなった状態での流体残留量を示す流体容器の正面説明図である。
【図１８】従来例に係る支持ラックに支持された流体容器について、流体残量レベルが低下して流体供給ができなくなった状態での流体残留量を示す流体容器の側面説明図である。
【符号の説明】
１…薬液タンク
１ａ…開閉コック取付面
２…開閉コック
１０…支持ラック
１６…フレーム
１７…縦ロッド
１８…横ロッド
３０…タンクストッパ
３１…ストッパガイド
３２…ストッパプレート
３２ｓ…ストッパプレートの規制部
Ｐ…棚板材
Ｗ…窓部
【図１】
2004106924.tif 000003
【図２】
2004106924.tif 000004
【図３】
2004106924.tif 000005
【図４】
2004106924.tif 000006
【図５】
2004106924.tif 000007
【図６】
2004106924.tif 000008
【図７】
2004106924.tif 000009
【図８】
2004106924.tif 000010
【図９】
2004106924.tif 000011
【図１０】
2004106924.tif 000012
【図１１】
2004106924.tif 000013
【図１２】
2004106924.tif 000014
【図１３】
2004106924.tif 000015
【図１４】
2004106924.tif 000016
【図１５】
2004106924.tif 000017
【図１６】
2004106924.tif 000018
【図１７】
2004106924.tif 000019
【図１８】
2004106924.tif 000020